(57)【要約】【課題】ユーザの利便性を向上させることができる添加液供給装置およびそれを備える微細気泡発生装置を提供すること。【解決手段】浴槽の壁面に設けられた吸込口から前記浴槽内の液体を吸い込むとともに吸い込んだ液体を前記壁面に設けられた吐出口から吐出させるように前記吸込口から前記吐出口まで延びる循環流路に添加液を供給するための添加液供給装置は、添加液を貯留するための貯留空間を形成するケースであって、前記貯留空間と外部を連通する貫通孔を有し、前記吸込口に着脱自在に取り付けられる添加液貯留ケースと、前記添加液貯留ケースにおける前記浴槽内に露出する側を少なくとも部分的に覆うように前記吸込口に着脱自在に取り付けられるカバーと、を備える。【選択図】図４Ａ
2018064761.tif 000002
【特許請求の範囲】
【請求項１】
浴槽の壁面に設けられた吸込口から前記浴槽内の液体を吸い込むとともに吸い込んだ液体を前記壁面に設けられた吐出口から吐出させるように前記吸込口から前記吐出口まで延びる循環流路に添加液を供給するための添加液供給装置であって、
添加液を貯留するための貯留空間を形成するケースであって、前記貯留空間と外部を連通する貫通孔を有し、前記吸込口に着脱自在に取り付けられる添加液貯留ケースと、
前記添加液貯留ケースにおける前記浴槽内に露出する側を少なくとも部分的に覆うように前記吸込口に着脱自在に取り付けられるカバーと、
を備える、添加液供給装置。
【請求項２】
前記添加液貯留ケースは前記カバーに着脱自在に取り付けられ、前記カバーを介して前記吸込口に着脱自在に取り付けられる、請求項１に記載の添加液供給装置。
【請求項３】
前記添加液貯留ケースは環状に形状されるとともに、前記カバーに対して周方向の回転嵌合によって取り付けられる、請求項２に記載の添加液供給装置。
【請求項４】
前記カバーに回転嵌合した前記添加液貯留ケースを、前記カバーとの嵌合開始位置から周方向に所定角度回転した固定位置にて固定する固定機構をさらに備える、請求項３に記載の添加液供給装置。
【請求項５】
前記カバーは、前記環状の添加液貯留ケースの外周面に対向するように円周状に設けられた側壁を備え、
前記固定機構は、前記カバーの前記側壁から径方向内側に突出した突起であり、
前記添加液貯留ケースの前記外周面には、前記突起を収容するための凹部が形成される、請求項４に記載の添加液供給装置。
【請求項６】
前記添加液貯留ケースは、前記貫通孔を形成するとともに前記カバーに固定される固定部分と、前記固定部分とともに前記貯留空間を構成するように前記固定部分に回転可能に取り付けられ、前記貫通孔を閉じる第１の回転位置と前記貫通孔を開く第２の回転位置の間で回転する回転部分と、を備え、
前記添加液貯留ケースの前記回転部分には、前記カバーの表面に設けられた開口に向かって突出したレバーが設けられている、請求項２から５のいずれか１つに記載の添加液供給装置。
【請求項７】
前記添加液貯留ケースが前記カバーと嵌合を開始する嵌合開始位置において、前記第１の回転位置にある前記レバーは、前記カバーの前記開口に対向する位置に配置され、前記第２の回転位置にある前記レバーは、前記開口を除く前記カバーの表面に対向する位置に配置される、請求項６に記載の添加液供給装置。
【請求項８】
請求項１から７のいずれか１つに記載の前記添加液供給装置と、
前記循環流路に設けられ、前記吸込口から吸い込んだ液体に空気を混合し液体に空気を溶解させる混合部と、
前記循環流路に設けられ、前記混合部で液体に溶解させた空気を微細気泡化する微細化部とを備える、微細気泡発生装置であって、
前記添加液供給装置の前記添加液貯留ケースは、前記循環流路における前記微細化部又は前記微細化部よりも上流側に前記添加液を供給するように固定される、微細気泡発生装置。
【発明の詳細な説明】
【技術分野】
【０００１】
本発明は、添加液供給装置およびそれを備える微細気泡発生装置に関する。
【０００２】
従来より、液体に空気を溶解させてから微細気泡化する微細気泡発生装置が提案されている（例えば、特許文献１）。
【０００３】
特許文献１の微細気泡発生装置は、液体と空気をタンクで混合して液体に空気を溶解させた後、液体をタンクの外部に取り出して減圧することで微細気泡を発生させる。
【先行技術文献】
【特許文献】
【０００４】
【特許文献１】特開２０１０−７５９１９号公報
【発明の概要】
【発明が解決しようとする課題】
【０００５】
しかしながら、昨今では、微細気泡発生装置を使用するユーザの利便性をより向上させることが求められている。特許文献１のような構成では、気泡を微細化することはできるものの、その他の物質を微細化すること等は想定されておらず、ユーザの利便性という観点では未だ改善の余地があるといえる。
【０００６】
従って、本発明の目的は、上記問題を解決することにあって、ユーザの利便性を向上させることができる微細気泡発生装置およびそれに用いられる添加液供給装置を提供することにある。
【課題を解決するための手段】
【０００７】
上記目的を達成するために、本発明の添加液供給装置は、浴槽の壁面に設けられた吸込口から前記浴槽内の液体を吸い込むとともに吸い込んだ液体を前記壁面に設けられた吐出口から吐出させるように前記吸込口から前記吐出口まで延びる循環流路に添加液を供給するための添加液供給装置であって、添加液を貯留するための貯留空間を形成するケースであって、前記貯留空間と外部を連通する貫通孔を有し、前記吸込口に着脱自在に取り付けられる添加液貯留ケースと、前記添加液貯留ケースにおける前記浴槽内に露出する側を少なくとも部分的に覆うように前記吸込口に着脱自在に取り付けられるカバーと、を備える。
【０００８】
また本発明の微細気泡発生装置は、前記添加液供給装置と、前記循環流路に設けられ、前記吸込口から吸い込んだ液体に空気を混合し液体に空気を溶解させる混合部と、前記循環流路に設けられ、前記混合部で液体に溶解させた空気を微細気泡化する微細化部とを備える、微細気泡発生装置であって、前記添加液供給装置の前記添加液貯留ケースは、前記循環流路における前記微細化部又は前記微細化部よりも上流側に前記添加液を供給するように固定される。
【発明の効果】
【０００９】
本発明の添加液供給装置およびそれを備える微細気泡発生装置によれば、ユーザの利便性を向上させることができる。
【図面の簡単な説明】
【００１０】
【図１】実施形態にかかる微細気泡発生装置の概略図
【図２】微細気泡発生装置の概略図
【図３Ａ】添加液供給装置および継手の斜視図
【図３Ｂ】添加液供給装置および継手の側面図
【図４Ａ】添加液供給装置の分解斜視図
【図４Ｂ】添加液供給装置の更なる分解斜視図
【図４Ｃ】添加液供給装置の更なる分解斜視図
【図５Ａ】アウターカバーの裏面側の斜視図
【図５Ｂ】インナーカバーの表面側の斜視図
【図５Ｃ】アウターカバーとインナーカバーの取付状態を示す部分断面図
【図６Ａ】外側ケースの裏面側の斜視図
【図６Ｂ】内側ケースの表面側の斜視図
【図６Ｃ】外側ケースと内側ケースの取付状態を示す部分断面図
【図７Ａ】インナーカバーの裏面側の斜視図
【図７Ｂ】内側ケースの表面側の斜視図
【図７Ｃ】インナーカバーと内側ケースの取付状態を示す部分断面図
【図７Ｄ】インナーカバーと内側ケースの取付状態を示す部分斜視図
【図８Ａ】外側ケースの正面図
【図８Ｂ】インナーカバーの正面図
【図８Ｃ】アウターカバーの正面図
【図９Ａ】添加液の流出状態に対応する添加液供給装置の正面図
【図９Ｂ】添加液の貯留状態に対応する添加液供給装置の正面図
【図１０Ａ】外側ケースの背面図
【図１０Ｂ】オイルパッキンの背面図
【図１０Ｃ】内側ケースの背面図
【図１０Ｄ】添加液の貯留状態に対応する添加液供給装置の背面図
【図１０Ｅ】添加液の流出状態に対応する添加液供給装置の背面図
【図１１Ａ】インナーカバーの背面図
【図１１Ｂ】カバーホルダーの正面図
【図１１Ｃ】インナーカバーとカバーホルダーの取付状態を示す部分断面図
【図１２】添加液供給装置および継手が浴槽の壁面に取り付けられた状態を示す断面図
【図１３】微細気泡発生装置における液体および添加液の流れを説明するための概略断面図
【図１４】微細気泡発生装置における液体および添加液の流れを説明するための概略斜視図
【図１５Ａ】カバー（インナーカバー）の背面図
【図１５Ｂ】第１の回転位置における添加液貯留ケースの背面図
【図１５Ｃ】第２の回転位置における添加液貯留ケースの背面図
【図１６】添加液供給装置および継手部の斜視図
【図１７】添加液供給装置の背面図
【発明を実施するための形態】
【００１１】
以下に、本発明にかかる実施形態を図面に基づいて詳細に説明する。
【００１２】
（実施形態１）
図１、図２は、実施形態にかかる微細気泡発生装置２の概略構成を示す図である。
【００１３】
微細気泡発生装置２は、空気が溶解した液体を減圧して微細気泡化する装置であり、例えば浴槽４（図１）に設けられて使用される。図１、図２に示すように、微細気泡発生装置２は、添加液供給装置６（図２）と、継手部８と、第１のノズル１０と、空気供給パイプ１２と、循環ポンプ１４と、空気溶解タンク１６と、第２のノズル１８とを備える。
【００１４】
添加液供給装置６は、浴槽４から吸い込んだ液体に添加液（例えばオイル）を添加する装置であり、本実施形態では、浴槽４の壁面４６に取り付けられるとともに浴槽４の吸込口と吐出口を兼ねている。すなわち、吸込口と吐出口は浴槽４の壁面４６に設けられる。
【００１５】
添加液供給装置６の吸込口から浴槽４の液体が吸い込まれ、液体の流れ方向上流側から順に、継手部８、第１のノズル１０、循環ポンプ１４、空気溶解タンク１６、第２のノズル１８、継手部８、添加液供給装置６（吐出口）を流れるように構成される。このような添加液供給装置６を備える微細気泡発生装置２は、浴槽４の吸込口から浴槽４内の液体を吸い込むとともに、吸い込んだ液体を吐出口から吐出させるように吸込口から吐水口まで延びる循環流路を形成する。
【００１６】
以下、微細気泡発生装置２の各構成について順に説明する。
【００１７】
継手部８は、複数のノズルを接続するための継手部であり、本実施形態では、第１のノズル１０および第２のノズル１８が接続されている。継手部８において、添加液供給装置６の吸込口から吸い込んだ液体は継手３６ｂを介して第１のノズル１０に供給される。第２のノズル１８から流れてきた液体は継手３６ａを介して添加液供給装置６の吐出口へ供給される。添加液供給装置６および継手部８の詳細な構成については後述する。
【００１８】
第１のノズル１０は、継手部８と循環ポンプ１４の間に接続されたノズルであり、継手部８からの液体を循環ポンプ１４に向けて流す。第１のノズル１０の途中には、空気供給パイプ１２が接続されている。空気供給パイプ１２は、第１のノズル１０中の液体に空気を供給するパイプである。空気供給パイプ１２を設けることにより、第１のノズル１０中の液体に空気が混合される。下流側の循環ポンプ１４には、液体と空気が混合された状態で供給される。
【００１９】
循環ポンプ１４は、第１のノズル１０と空気溶解タンク１６の間に接続されたポンプであり、液体を循環させる圧力を発生させる。循環ポンプ１４を設けることにより、前述した微細気泡発生装置２全体における液体の流れが生じるとともに、第１のノズル１０から吸い込んだ液体および空気が空気溶解タンク１６に供給される。
【００２０】
空気溶解タンク１６は、液体に空気を溶解させるためのタンクである。空気溶解タンク１６は、空気と混合された状態の液体に圧力をかけることで液体に空気（酸素）を溶解させる。
【００２１】
第２のノズル１８は、空気溶解タンク１６と継手部８の間に接続されたノズルである。第２のノズル１８は、空気溶解タンク１６で空気を溶解させた液体を大気圧に開放することで減圧し、微細気泡を発生させる。このように、第２のノズル１８は微細化部として機能する。後述するように、第２のノズル１８の下流側における継手部８も、液体に溶解した空気を微細気泡化する微細化部として機能する。
【００２２】
上述した構成により、微細気泡発生装置２は、第２のノズル１８および継手部８によって微細気泡化された空気を含む液体を浴槽４に向けて吐出するように構成される。
【００２３】
次に、添加液供給装置６および継手部８の構成について、図３Ａ−図１２Ｂを用いて説明する。
【００２４】
図３Ａは、添加液供給装置６、カバーホルダー３２および継手部８が互いに取り付けられる順に並べられた斜視図である。図３Ｂは、添加液供給装置６、カバーホルダー３２および継手部８が互いに取り付けられた状態の側面図である。図３Ａ、３Ｂに示すように、添加液供給装置６は、カバーホルダー３２を介して継手部８に取り付けられる。図３Ｂに示すように、カバーホルダー３２と継手部８の間には浴槽４の壁面４６が配置される。壁面４６は、継手部８に設けられたパッキン４４に嵌合している。パッキン４４によって、壁面４６の内側（添加液供給装置６が配置される側）と外側（継手部８が配置される側）が互いに封止される。
【００２５】
次に、添加液供給装置６の詳細な構成について説明する。図４Ａは、添加液供給装置６およびカバーホルダー３２の表面側からの分解斜視図であり、図４Ｂは、図４Ａの更なる分解斜視図である。図４Ｃは、図４Ｂの反対側からの分解斜視図である。
【００２６】
添加液供給装置６は、図４Ａに示すように、カバー２０と、添加液貯留ケース２２とを備える。カバー２０は、浴槽４に露出されるカバーである。カバー２０は、後述するカバーホルダー３２に対して着脱自在に構成される。カバー２０には、吸込口４８と吐出口５０が形成されている。本明細書では、吸込口４８および吐出口５０をカバー２０における隙間として説明するが、当該隙間に連通する前述した浴槽４の壁面４６における開口（図示せず）を意味する場合であってもよい。添加液貯留ケース２２は、カバー２０の吸込口４８から吸い込んだ液体に添加するための添加液を貯留する添加液貯留部である。添加液貯留ケース２２は、カバー２０の裏側に取り付けて使用される。添加液貯留ケース２２における浴槽４に向けて露出する側がカバー２０によって覆われている。添加液貯留ケース２２は、カバー２０に対して着脱自在に構成される。
【００２７】
カバー２０は、図４Ｂ、４Ｃに示すように、表側のアウターカバー２４と、裏側のインナーカバー２６とを備える。アウターカバー２４とインナーカバー２６は互いに取付可能に構成されており、使用時には互いに固定された状態で使用される。
【００２８】
アウターカバー２４は、その中央部に吐出口５０を形成し、側面に吸込口４８を形成するカバーである。アウターカバー２４は、吐出口５０から吐出される液体の吐出方向Ａ沿いに見たときに、添加液供給装置６における他の構成部材と同様に略円形状の外形を有する。インナーカバー２６は、アウターカバー２４に嵌合する裏側のカバーである。インナーカバー２６の中央部には開口２６ａが形成され、側面には開口２６ｋが形成される。アウターカバー２４の吐出口５０とインナーカバー２６の開口２６ａとが対向し、吸込口４８と開口２６ｋとが対向するように嵌合される。
【００２９】
アウターカバー２４とインナーカバー２６の取付関係について、図５Ａ−５Ｃを用いて説明する。図５Ａは、アウターカバー２４の裏面側の斜視図であり、図５Ｂは、インナーカバー２６の表面側の斜視図であり、図５Ｃは、アウターカバー２４とインナーカバー２６の取付状態を示す部分断面図である。図５Ａ、５Ｂに示すように、アウターカバー２４とインナーカバー２６の外形はともに、中央に開口が形成された円形状の面と、当該面の外周部から直交する方向に延びて円周状に展開された側面とによって構成されている。
【００３０】
図５Ａに示すように、アウターカバー２４の側面２４ｂの先端部（下端部）には、径方向内側に突出する突出部２４ｃが形成される。図５Ｂに示すように、インナーカバー２６の側面２６ｂには、径方向外側に突出する複数の突起２６ｃが設けられている（本実施形態では周方向に間隔を空けて４箇所）。このような構成において、アウターカバー２４の側面２４ｂを径方向外側に押し広げながら、インナーカバー２６の突起２６ｃをアウターカバー２４の突出部２４ｃの内側に挿入する。図５Ｃに示すように、インナーカバー２６の突起２６ｃがアウターカバー２４の突出部２４ｃに引っかかり固定される。このとき、インナーカバー２６の突起２６ｃはアウターカバー２４の側面２４ｂの径方向内側に突出した部分に引っ掛けられ、周方向に回転しない位置に固定される。この固定状態において、吐出口５０と開口２６ａが連通し、吸込口４８と開口２６ｋが連通する。
【００３１】
次に、添加液貯留ケース２２について説明する。図４Ｂ、４Ｃに戻ると、添加液貯留ケース２２は、外側ケース２８と、オイルパッキン２９と、内側ケース３０とを備える。外側ケース２８と内側ケース３０の間にオイルパッキン２９が配置される。外側ケース２８と内側ケース３０は互いに取り付けられることで、添加液を貯留するための貯留空間を内側に形成したケースとなる。外側ケース２８および内側ケース３０はともに径方向中央部が貫通した環状の部材であり、その環状部分に添加液を貯留するための貯留空間を形成する。オイルパッキン２９は、添加液供給装置６の持ち運び・設置時に貯留空間内の添加液が漏れないように止水（封止）する機能を有する。
【００３２】
外側ケース２８と内側ケース３０の取付関係について、図６Ａ−６Ｃを用いて説明する。図６Ａは、外側ケース２８の裏面２８ｐ（内側ケース３０に向いている側）を表す背面図であり、図６Ｂは、内側ケース３０の表面３０ｈ（外側ケース２８に向いている側）を表す正面図である。図６Ｃは、外側ケース２８と内側ケース３０の取付状態を示す部分断面図である。
【００３３】
図６Ａに示すように、外側ケース２８の裏面２８ｐにはオイルパッキン２９を配置するための溝部２８ａが設けられている。溝部２８ａの周縁部の外形は、オイルパッキン２９の外形と略同じに設定されており、オイルパッキン２９を配置して固定することができる。オイルパッキン２９によって封止される溝部２８ａの空間が添加液の貯留空間として構成される。後述するように、オイルパッキン２９には複数の貫通孔が設けられており、当該貫通孔を介してオイルパッキン２９の内側の貯留空間にアクセス可能となる。裏面２８ｐにおける溝部２８ａを除く箇所は、溝部２８ａよりも内側ケース３０に向けて突出しており、内側ケース３０の表面３０ｈに接触するように構成される。
【００３４】
外側ケース２８の裏面２８ｐには、裏面側に延びてから径方向外側に延びるように突出するフランジ２８ｃが設けられている（図６Ａ、図６Ｃ）。フランジ２８ｃの入口部分には、図６Ａに示すように複数の切欠き２８ｂが形成されている（本実施形態では周方向に間隔を空けて５カ所）。図６Ｂに示すように、内側ケース３０の表面３０ｈ側において、側面３０ａの先端部（上端部）には、径方向内側に突出する複数の突起３０ｂが設けられている（本実施形態では５カ所）。複数の突起３０ｂは、前述した外側ケース２８の切欠き２８ｂに対応する位置に設けられている。このような構成において、内側ケース３０の突起３０ｂを外側ケース２８の切欠き２８ｂに挿入し、周方向に回転させる。これにより、図６Ｃに示すように、突起３０ｂが外側ケース２８のフランジ２８ｃに引っかかり高さ方向に固定される。フランジ２８ｃは周方向に延びており、外側ケース２８と内側ケース３０は周方向に相対的に回転可能な状態で互いに嵌合する。
【００３５】
図６Ｃに示す添加液貯留ケース２２は、外側ケース２８と内側ケース３０の相互に回転可能な状態を維持しながら前述したカバー２０に取り付けられる。具体的には、内側ケース３０をカバー２０のインナーカバー２６に固定し、かつ、外側ケース２８はカバー２０に固定せずに回転可能な状態に維持して、添加液貯留ケース２２をカバー２０に取り付ける。
【００３６】
内側ケース３０とインナーカバー２６の取付関係について、図７Ａ−７Ｄを用いて説明する。図７Ａは、インナーカバー２６の裏面側の斜視図であり、図７Ｂは、内側ケース３０の表面側の斜視図であり、図７Ｃ、７Ｄは、内側ケース３０とインナーカバー２６の取付状態を示す部分断面図である。
【００３７】
図７Ａに示すように、インナーカバー２６の裏面（内側ケース３０に向かう面）２６ｊには、円筒状に突出する内縁突出部２６ｄが設けられている。内縁突出部２６ｄの先端部（下端部）には、２箇所の溝部２６ｅが設けられている。本実施形態における溝部２６ｅは、互いに対向して配置されるように周方向に間隔を空けて２箇所設けられている。溝部２６ｅは、内縁突出部２６ｄの外周面が径方向内側に凹んだ部分である。溝部２６ｅは、内縁突出部２６ｄの先端部から軸方向に延びる軸方向部分と、軸方向部分の他端から周方向に延びる周方向部分とで構成される。図７Ｂに示すように、内側ケース３０の表面（インナーカバー２６に向かう面）３０ｈには、円筒状に突出する内縁突出部３０ｃが設けられている。内縁突出部３０ｃの径は、前述したインナーカバー２６の内縁突出部２６ｄの径よりも僅かに大きく設定されている。内縁突出部３０ｃの先端部（上端部）には、径方向内側に突出する２箇所の突起３０ｄが設けられている。突起３０ｄは、前述したインナーカバー２６の溝部２６ｅに対応する位置に設けられている。
【００３８】
このような構成において、インナーカバー２６の溝部２６ｅに対して内側ケース３０の突起３０ｄを軸方向に挿入することにより、突起３０ｄを溝部２６ｅの軸方向部分に係合させる。その後、内側ケース３０をインナーカバー２６に対して周方向に回転させることにより、突起３０ｄを溝部２６ｅの周方向部分に係合させながらスライド移動させる。これにより、図７Ｃに示すように、インナーカバー２６の内縁突出部２６ｄと内側ケース３０の突起３０ｄが互いに噛み合うことで、内側ケース３０とインナーカバー２６が互いに固定される。このとき、内側ケース３０の内縁突出部３０ｃは、前述した外側ケース２８の中央部の開口２８ｋ（図４Ａ、６Ａ）を通過して、インナーカバー２６の内縁突出部２６ｄに嵌合する。
【００３９】
図７Ａに示すように、インナーカバー２６の側面２６ｂには、径方向内側に突出する爪部２６ｆが設けられている（本実施形態では１カ所）。図７Ｂに示すように、内側ケース３０の側面３０ａには、切欠き３０ｇが設けられている（本実施形態では１カ所）。切欠き３０ｇは、インナーカバー２６の爪部２６ｆに対応する位置に設けられている。このような構成において、切欠き３０ｇに対して爪部２６ｆの先端部が配置されることにより、図７Ｄに示すように、内側ケース３０とインナーカバー２６の相対的な周方向の回転が規制される。
【００４０】
内側ケース３０の外周面に設けられた切欠き３０ｇは、爪部２６ｆを収容するための凹部として機能し、添加液貯留ケース２２をカバー２０に固定するための固定機構として機能する。切欠き３０ｇは、添加液貯留ケース２２を、カバー２０に対して嵌合を開始する嵌合開始位置から周方向に所定角度回転した固定位置にて固定する。
【００４１】
内側ケース３０はカバー２０のインナーカバー２６に固定されるが、外側ケース２８はインナーカバー２６の側面２６ｂおよび裏面２６ｊに対して間隔を空けて配置される（図示省略）。すなわち、内側ケース３０がインナーカバー２６に固定された状態で、外側ケース２８は内側ケース３０に対して周方向に回転可能な状態にある。
【００４２】
図８Ａは、外側ケース２８の表面２８ｄを示し、図８Ｂは、インナーカバー２６の表面２６ｇを示し、図８Ｃは、アウターカバー２４の表面２４ｄを示す。図８Ａに示すように、外側ケース２８の表面２８ｄにはレバー２８ｅが設けられている。レバー２８ｅは、ユーザが外側ケース２８を内側ケース３０に対して周方向に回転させるために掴む突起である。図８Ｂに示すように、インナーカバー２６の表面２６ｇには円弧状の開口２６ｈが設けられている。図８Ｃに示すように、アウターカバー２４の表面２４ｄには円弧状の開口２４ｅが設けられている。インナーカバー２６とアウターカバー２４が相互に固定されると、開口２６ｈと開口２４ｅは互いに対向する位置に配置される。外側ケース２８のレバー２８ｅは、インナーカバー２６の開口２６ｈとアウターカバー２４の開口２４ｅを通過し、アウターカバー２４の表面２４ｄ側に露出する。
【００４３】
本実施形態では、外側ケース２８のレバー２８ｅを周方向に回転させることで、添加液貯留ケース２２の貯留空間に貯留されている添加液の流出状態と貯留状態（保持状態）とを切り替えるように構成される。図９Ａ、図９Ｂに示すように、外側ケース２８のレバー２８ｅが外側に露出した状態において、添加液を外部に流出させる流出状態（図９Ａ）と、添加液を外部に流出させずに貯留する貯留状態（図９Ｂ）とが切り替えられる。
【００４４】
具体的な添加液の流出状態と貯留状態を切り替える仕組みについて説明する。図７Ｂに示したように、内側ケース３０の表面３０ｈには、添加液貯留ケース２２内の貯留空間に連通する複数の貫通孔３０ｆ（５２）、５４、５６が設けられている。これらの貫通孔３０ｆ、５４、５６は、オイルパッキン２９内の貯留空間に連通する状態（流出状態）と、オイルパッキン２９内の貯留空間に連通しない状態（貯留状態）とが切り替えられる。
【００４５】
図１０Ａは、外側ケース２８の裏面２８ｐを示す背面図であり、図１０Ｂは、オイルパッキン２９の裏面２９ａを示す背面図であり、図１０Ｃは、内側ケース３０の裏面３０ｅを示す背面図である。図１０Ｄ、１０Ｅは、外側ケース２８と内側ケース３０の取付状態（添加液貯留ケース２２）を示す背面図である。
【００４６】
図１０Ａに示すように、外側ケース２８の裏面２８ｐには溝部２８ａが周方向に沿って形成されている。裏面２８ｐにおける溝部２８ａの周縁部には、図１０Ｂに示すオイルパッキン２９を配置・固定するための突起２８ｑが設けられている。突起２８ｑは外側ケース２８の裏面側に向かって突出した部分であり、オイルパッキン２９の表面側に設けられた溝（図示せず）に対応する形状を有し、当該溝と係合する。
【００４７】
図１０Ｂに示すように、オイルパッキン２９は、前述した溝部２８ａおよび突起２８ｑに対応する形状を有したゴム製の部材であって、突起２８ｑに係合した状態で溝部２８ａとともに添加液の貯留空間を形成する。本実施形態におけるオイルパッキン２９には３つの開口２９ｂ、２９ｃ、２９ｄが形成されている。オイルパッキン２９内の貯留空間にはこれらの開口２９ｂ、２９ｃ、２９ｄを介して連通可能である。
【００４８】
図１０Ａに示すように、外側ケース２８の裏面２８ｐにおける溝部２８ａを除く箇所に突起２８ｇが設けられている。突起２８ｇは、図１０Ｃに示す内側ケース３０の第１の貫通孔３０ｆに対応する位置に設けられている。図１０Ｃに示す第２の貫通孔５４は、オイルパッキン２９の第２の貫通孔２９ｃに対応する位置に設けられ、第３の貫通孔５６は、オイルパッキン２９の第３の貫通孔２９ｄに対応する位置に設けられる。
【００４９】
図１０Ｄ、図１０Ｅに示すように、外側ケース２８と内側ケース３０がオイルパッキン２９を挟んで互いに取り付けられた状態において、外側ケース２８の突起２８ｇは内側ケース３０の貫通孔３０ｆを通過して、内側ケース３０の裏面３０ｅ側に露出する。突起２８ｇは、外側ケース２８の表面側に設けられたレバー２８ｅ（図９Ａ、９Ｂ）と一体的に移動するため、ユーザは添加液の流出状態と貯留状態を添加液貯留ケース２２の裏側からも確認可能である。
【００５０】
図１０Ｄに添加液の貯留状態を示し、図１０Ｅに添加液の流出状態を示す。図１０Ｄに示す貯留状態においては、外側ケース２８の突起２８ｇは内側ケース３０の貫通孔３０ｆにおける最も右側に配置されている。このとき、内側ケース３０の貫通孔３０ｆにはオイルパッキン２９が露出せず、外側ケース２８の裏面２８ｐが露出する。貫通孔３０ｆは裏面２８ｐによって封止され、オイルパッキン２９内の貯留空間に連通しない。さらに、第２の貫通孔５４および第３の貫通孔５６は、図１０Ｂに示したオイルパッキン２９が内側に窪んだ窪み２９ｈに対向する位置に配置され、オイルパッキン２９の第２の貫通孔２９ｃおよび第３の貫通孔２９ｄには連通しない。よって、第２の貫通孔５４および第３の貫通孔５６はオイルパッキン２９内の貯留空間に連通せずに封止される。このようにして、第１の貫通孔５２、第２の貫通孔５４および第３の貫通孔５６のいずれからも添加液が流出せずに貯留空間に添加液が貯留された状態となる。
【００５１】
一方で、図１０Ｅに示す流出状態において、外側ケース２８の突起２８ｇは図中左側に移動されている。このとき、内側ケース３０の貫通孔３０ｆの右端には、外側ケース２８の溝部２８ａに配置されているオイルパッキン２９の第１の貫通孔２９ｂ（５２）が露出する。第１の貫通孔５２を介してオイルパッキン２９内の貯留空間と外部空間とが連通する。また、第２の貫通孔５４および第３の貫通孔５６は、オイルパッキン２９の第２の貫通孔２９ｃおよび第３の貫通孔２９ｄ（図１０Ｂ）にそれぞれ対向する位置に配置される。貫通孔５４、５６および貫通孔２９ｃ、２９ｄを介して貯留空間と外部空間とが連通する。このようにして、第１の貫通孔５２、第２の貫通孔５４および第３の貫通孔５６のいずれもオイルパッキン２９内の貯留空間に連通し、貯留空間内の添加液が流出・流入可能な状態となる。
【００５２】
上述したように、添加液貯留ケース２２のレバー２８ｅをスライド操作することにより、内側ケース３０（固定部分）に対する外側ケース２８（回転部分）の回転位置を切り替えることができる。具体的には、貫通孔５２、５４、５６を閉じる第１の回転位置（貯留状態）と、貫通孔５２、５４、５６を開く第２の回転位置（流出状態）との間で外側ケース２８を回転させることができる。このようにして、ユーザは簡便な操作で添加液の貯留状態と流出状態を切り替えることができる。
【００５３】
上述した取付関係にあるカバー２０および添加液貯留ケース２２を備える添加液供給装置６を図３Ｂに示したようにカバーホルダー３２に取り付ける際には、インナーカバー２６をカバーホルダー３２に取り付ける。
【００５４】
インナーカバー２６とカバーホルダー３２の取付関係について、図１１Ａ−１１Ｃを用いて説明する。図１１Ａは、インナーカバー２６の裏面２６ｊを示す背面図であり、図１１Ｂは、カバーホルダー３２の表面３２ａを示す正面図であり、図１１Ｃは、インナーカバー２６とカバーホルダー３２の取付状態を示す部分断面図である。
【００５５】
図１１Ａに示すように、インナーカバー２６の裏面２６ｊ側において、側面２６ｂの先端部（下端部）には、径方向内側に突出する複数の突起２６ｉが設けられている（本実施形態では周方向に間隔を空けて４カ所）。図１１Ｂに示すように、カバーホルダー３２の表面３２ａには、表面側に突出してから径方向外側に突出した複数のフランジ３２ｃが設けられている。複数のフランジ３２ｃの入口部分には、複数の切欠き３２ｂが設けられている（本実施形態では周方向に間隔を空けて４カ所）。複数の切欠き３２ｂは、インナーカバー２６の複数の突起２６ｉに対応する位置に設けられている。このような構成において、インナーカバー２６の突起２６ｉをカバーホルダー３２の切欠き３２ｂに挿入して周方向に回転させる。これにより、図１１Ｃに示すように、突起２６ｉがフランジ３２ｃに引っかかって固定される。
【００５６】
添加液供給装置６がカバーホルダー３２を介して継手部８に取り付けられた断面図を図１２に示す。図１２の紙面左側に示すように、内側ケース３０はカバーホルダー３２に対して間隔を開けて配置されており、その間に液体の流路が形成される。この流路は吸込口４８から吸い込まれる液体を通す吸込流路であり、当該吸込流路に面している内側ケース３０の貫通孔５２、５４、５６を介して、貯留空間Ｓ内の添加液が供給可能に構成される。
【００５７】
次に、継手部８について説明する。継手部８は、図３Ａなどに示すように、継手本体３４と、複数の継手３６ａ、３６ｂ、３６ｃと、吐出流路形成部３８と、吸込流路形成部４０と、微細化ノズル４２とを備える。
【００５８】
継手本体３４は、複数の継手３６ａ―３６ｃ、吐出流路形成部３８、吸込流路形成部４０および微細化ノズル４２を支持する本体部である。
【００５９】
継手３６ａ―３６ｃは、継手本体３４から延びる複数の継手である。本実施形態では、図１２に示すように、継手３６ａは吐出流路形成部３８に接続され、継手３６ｂ、３６ｃは吸込流路形成部４０に接続される。図１に示すように、継手３６ａは第２のノズル１８に接続され、継手３６ｂは第１のノズル１０に接続され、継手３６ｃは使用されていない。継手３６ｂが第１のノズル１０に接続されることで、吸込流路形成部４０からの液体が第１のノズル１０に供給されるように構成される。継手３６ａが第２のノズル１８に接続されることで、第２のノズル１８からの微細気泡を含む液体が吐出流路形成部３８に供給されるように構成される。
【００６０】
吐出流路形成部３８は、継手本体３４の中央部から突出した筒状の部材であり、第２のノズル１８からの液体を浴槽４に吐出するための吐出流路を内側に構成する。吐出流路形成部３８は、図１２に示すように、内側ケース３０の裏側に接続される。吐出流路形成部３８の吐出流路は、内側ケース３０の中央部の開口を介して吐出口５０に連通する。
【００６１】
吐出流路形成部３８と継手本体３４の間には、微細化ノズル４２が設けられている。微細化ノズル４２は、吐出流路形成部３８の径よりも小さな径の流路を複数形成する部材であり、吐出流路形成部３８の流路抵抗となる。微細化ノズル４２を設けることで、第２のノズル１８から流れてくる微細化された気泡をさらに微細化する。微細化ノズル４２を備える継手部８は、第２のノズル１８とともに微細化部として機能する（第２の微細化部）。
【００６２】
吸込流路形成部４０は、カバー２０の吸込口４８から吸い込まれてきた液体を通す流路を形成する部材である。吸込流路形成部４０は、吐出流路形成部３８の径方向外側に設けられている。吸込流路形成部４０と吐出流路形成部３８の間に吸込流路が形成される。
【００６３】
吸込流路形成部４０の径方向外側には、パッキン４４が設けられている。パッキン４４は、浴槽４の壁面４６と吸込流路形成部４０との間に挟まれている。パッキン４４は、浴槽４の内側ではカバーホルダー３２に係合し、浴槽４の外側では継手本体３４に係合する。
【００６４】
前記構成の微細気泡発生装置２により気泡を微細化させる動作について、図１３、１４等を用いて説明する。
【００６５】
微細気泡発生装置２の使用前に、ユーザは、添加液貯留ケース２２内に添加液（例えばオイル）を注入する。具体的には、カバー２０とは分離された状態の添加液貯留ケース２２を準備するとともに、外側ケース２８および内側ケース３０の相対的な回転位置を添加液の流出状態に対応する第２の回転位置（図１０Ｅ）に回転させる。この状態で、内側ケース３０の貫通孔（特に第１の貫通孔５２）から添加液貯留ケース２２内の貯留空間Ｓに添加液を注入する。添加液を注入した後、添加液の貯留状態に対応する第１の回転位置（図１０Ｄ）となるように外側ケース２８および内側ケース３０を相対的に回転させることで、添加液が流出しないようにする。
【００６６】
その後、図７Ａ−７Ｄを用いて説明したように、内側ケース３０における２箇所の突起３０ｄをインナーカバー２６の２箇所の溝部２６ｅに嵌合させる（同時に外側ケース２８のレバー２８ｅはカバー２０の開口２４ｅ、２６ｈを通過する）。さらに、添加液貯留ケース２２をカバー２０に嵌合させながら周方向に所定角度回転させると、インナーカバー２６の爪部２６ｆが内側ケース３０の切欠き３０ｇに配置され、添加液貯留ケース２２の周方向への回転が規制される。このようにして、添加液を貯留している添加液貯留ケース２２をカバー２０に固定する。
【００６７】
さらに、パッキン４４を介して浴槽４の壁面４６に取り付けられている継手部８に対してカバーホルダー３２を取り付けるとともに、カバーホルダー３２に対してカバー２０および添加液貯留ケース２２を取り付ける。具体的には、図１１Ａ−１１Ｃを用いて説明したように、インナーカバー２６の４箇所の突起２６ｉをカバーホルダー３２の切欠き３２ｂに挿入するとともに、周方向に回転させることでフランジ３２ｃに係合される。これにより、図１２、１３に示すように、カバー２０とカバーホルダー３２の間に添加液貯留ケース２２が配置された状態となる。
【００６８】
このように、添加液を供給するための添加液供給装置６（カバー２０および添加液貯留ケース２２）が吸込口４８および吐出口５０を形成するように着脱自在に設けられ、吸込口４８に連通する液体の供給路に添加液が供給可能となる。特に本実施形態では、カバー２０および添加液貯留ケース２２をともに浴槽４の吸込口に着脱自在に設けているため、ユーザは容易に添加液供給装置６をセッティングすることができる。
【００６９】
その後、添加液貯留ケース２２の内側ケース３０がカバー２０のインナーカバー２６に固定された状態で、外側ケース２８のレバー２８ｅをスライド操作することにより、外側ケース２８をオイルパッキン２９とともに回転させる。これにより、添加液貯留ケース２２における外側ケース２８と内側ケース３０の相対的な回転位置を、貯留状態である第１の回転位置から流出状態である第２の回転位置へ変化させる。このように添加液を供給可能とした状態で、微細気泡発生装置２を動作させる。
【００７０】
微細気泡発生装置２を動作させると、図１４に示す循環ポンプ１４が動作する。循環ポンプ１４の動作により、微細気泡発生装置２において液体が循環する流れが作られる。具体的には、カバー２０の吸込口４８から浴槽４の液体が吸い込まれる。
【００７１】
吸込口４８から吸い込まれた液体は、図１３に示すように、吸込流路形成部４０が形成する吸込流路に向かって流れる。このとき、吸込流路に至る途中において内側ケース３０の貫通孔５２、５４、５６が流路に向けて露出している。それぞれの貫通孔５２、５４、５６に接する位置を流れる液体には圧力差があるため、ある貫通孔（例えば第１の貫通孔５２）から液体が流入し、別の貫通孔（例えば第２の貫通孔５４および第３の貫通孔５６）から液体とともに添加液が流出するように作用する。
【００７２】
添加液貯留ケース２２から流出した添加液は、吸込流路に向かって流れる液体に混合される。このとき、例えば添加液がオイルであり疎水性であれば、液体とは分離した状態で混合され、吸込流路形成部４０を通って継手３６ｂに向かう。その後、液体と添加液は、図１４に示すように第１のノズル１０に流れ、空気供給パイプ１２から空気が注入されるとともに、循環ポンプ１４を通過して空気溶解タンク１６に到達する。空気溶解タンク１６では、圧力が付与されることで空気（酸素）が液体に溶解される。空気が溶解された液体は、添加液とともに第２のノズル１８に流れる。
【００７３】
第２のノズル１８においては、液体と添加液が大気圧下に開放されて減圧発泡されるため、溶解された空気が微細気泡化される。気泡の微細化に伴い、添加液であるオイルも分散するので、オイルが細かく均等に分散した液体を発生することができる。添加液としてオイルを用いた場合、ユーザが入浴したときにオイルが水分の蓋の役割を成すため、水分が肌から逃れないようにすることができる。
【００７４】
微細気泡を含む液体は、継手部８の継手３６ａに到達する。図１３に示すように、微細気泡を含む液体および添加液が継手３６ａから微細化ノズル４２を通過する。このとき、微細化ノズル４２による径の小さな複数の孔を通過することで、微細気泡がさらに成長する。その後、微細気泡を含む液体および添加液は吐出流路形成部３８内の吐出流路を通過し、吐出口５０から浴槽４に吐出される。
【００７５】
上述したように、本実施形態の添加液供給装置６は、浴槽４における液体の循環流路に添加液を供給するための装置である。循環流路は、浴槽４の壁面４６に設けられた吸込口４８から浴槽４内の液体を吸い込むとともに、吸い込んだ液体を壁面４６に設けられた吐出口５０から吐出させるように吸込口４８から吐出口５０まで延びる。添加液供給装置６は、カバー２０と、添加液貯留ケース２２とを備える。添加液貯留ケース２２は、添加液を貯留するための貯留空間Ｓを形成するケースであって、貯留空間Ｓと外部を連通する貫通孔５２、５４、５６を有し、（カバー２０を介して）浴槽４の吸込口に着脱自在に取り付けられる。カバー２０は、添加液貯留ケース２２における浴槽４内に露出する側を少なくとも部分的に覆うように（ホルダー３２を介して）浴槽４の吸込口に着脱自在に取り付けられる。
【００７６】
このような構成によれば、添加液貯留ケース２２を浴槽４の吸込口に着脱自在に取り付けるように構成することで、ユーザは添加液貯留ケース２２を容易に設置することができるとともに、吸込口における吸込圧を利用して添加液貯留ケース２２内の添加液を流出させることができる。また、添加液貯留ケース２２を覆うカバー２０を設けることで添加液貯留ケース２２を外部から保護することができる。このようにして、ユーザの利便性を向上させることができる。
【００７７】
また本実施形態の添加液供給装置６では、添加液貯留ケース２２はカバー２０に着脱自在に取り付けられ、カバー２０を介して浴槽４の吸込口に着脱自在に取り付けられる。このように、添加液貯留ケース２２を浴槽４の吸込口に直接取り付けずにカバー２０を介して吸込口に取り付けることで、カバー２０を必ず付帯した状態で添加液貯留ケース２２を吸込口に取り付けることを確保することができる。また、添加液貯留ケース２２とカバー２０を分離して構成することで、それぞれを単独で清掃することができる。このようにして、ユーザの利便性を向上させることができる。
【００７８】
また本実施形態の添加液供給装置６では、添加液貯留ケース２２は環状に形状されるとともに、カバー２０に対して周方向の回転嵌合によって取り付けられる。このように、回転式の嵌合を利用することで、外部から衝撃が加わった場合でも添加液貯留ケース２２を外れにくくすることができる。
【００７９】
また本実施形態の添加液供給装置６では、カバー２０に回転嵌合した添加液貯留ケース２２を、カバー２０との嵌合開始位置から周方向に所定角度回転した固定位置にて固定する爪部２６ｆ（固定機構）をさらに備える。このように、爪部２６ｆを設けることで、添加液貯留ケース２２をカバー２０に対してより強固に固定することができる。
【００８０】
また本実施形態の添加液供給装置６では、カバー２０は、環状の添加液貯留ケース２２の側面３０ａ（外周面）に対向するように円周状に設けられた側面２６ｂ（側壁）を備える。固定機構としての爪部２６ｆは、カバー２０の側面２６ｂから径方向内側に突出した突起である。添加液貯留ケース２２の側面３０ａには、爪部２６ｆを収容するための切欠き３０ｇ（凹部）が形成される。このように、固定機構を突起としての爪部２６ｆで構成し、添加液貯留ケース２２に切欠き３０ｇとしての凹部を設けることにより、簡易な機構によって添加液貯留ケース２２の回転を規制することができる。
【００８１】
さらに本実施形態は、上述した添加液供給装置６を備える微細気泡発生装置２を提供する。本実施形態の微細気泡発生装置２は、添加液供給装置６と、空気溶解タンク１６（混合部）と、第２のノズル１８および継手部８（微細化部）とを備える。空気溶解タンク１６は、循環流路に設けられ、吸込口４８から吸い込んだ液体に空気を混合し液体に空気を溶解させる。第２のノズル１８および継手部８は、循環流路に設けられ、空気溶解タンク１６で液体に溶解させた空気を微細気泡化する。このような構成において、添加液供給装置６の添加液貯留ケース２２は、循環流路における第２のノズル１８よりも上流側（本実施形態では吸込口４８のやや下流側）に添加液を供給するように固定される。このように、微細化部である第２のノズル１８の上流側に添加液を添加することで、第２のノズル１８および継手部８における空気の微細化に伴って添加液を液体中に分散させることができる。これにより、添加液をより分散させた液体を浴槽４に吐出することができ、浴槽４内において添加液の種類に応じて添加液の所望の効果を発揮させることができる。
【００８２】
ここで、本実施形態ではさらに、添加液貯留ケース２２をカバー２０に回転嵌合させる際に、添加液を貯留する第１の回転位置にある状態を確保するためのさらなる工夫を行っている。その工夫について図１５Ａ−１５Ｃを用いて説明する。
【００８３】
図１５Ａは、インナーカバー２６（カバー２０）の背面図である。図１５Ｂ、１５Ｃはともに、インナーカバー２６に取り付けられる内側ケース３０（添加液貯留ケース２２）の背面図である。
【００８４】
図１５Ｂ、１５Ｃに示す内側ケース３０の２箇所の突起３０ｄの回転位置は、図１５Ａに示すインナーカバー２６の溝部２６ｅの入口部分（軸方向部分の一端）の回転位置と同じ位置にある。すなわち、図１５Ｂ、１５Ｃに示す内側ケース３０は、図１５Ａに示すカバー２０との回転嵌合を開始する嵌合開始位置にて図示されている。図１５Ｂ、１５Ｃでは、外側ケース２８のレバー２８ｅを点線で図示し、外側ケース２８に対向するインナーカバー２６の開口２６ｈを一点鎖線で図示している。
【００８５】
図１５Ｂの添加液貯留ケース２２は、添加液を貯留する第１の回転位置に対応し、図１５Ｃの添加液貯留ケース２２は、添加液を流出させる第２の回転位置に対応する。
【００８６】
図１５Ｂに示すように、添加液貯留ケース２２が第１の回転位置にあるときには、レバー２８ｅは開口２６ｈに対向する位置に配置される。これにより、レバー２８ｅは開口２６ｈを通過可能となる。第１の回転位置において、添加液貯留ケース２２はカバー２０との回転嵌合を開始することができる。
【００８７】
一方で、図１５Ｃに示すように、添加液貯留ケース２２が第２の回転位置にあるときには、第１の回転位置と比較して突起３０ｄとレバー２８ｅとの相対的な回転位置が変化している。図１５Ｂに示す回転位置から反時計回りに所定角度回転された図１５Ｃのレバー２８ｅは、開口２６ｈには対向せず、開口２６ｈを除くインナーカバー２６の裏面２６ｊに対向する位置に配置される。このため、第２の回転位置においてはレバー２８ｅが開口２６ｈを通過することができず、添加液貯留ケース２２はカバー２０との回転嵌合を開始することができない。
【００８８】
このような構成によれば、添加液貯留ケース２２が添加液を貯留する第１の回転位置にある場合のみ、カバー２０との回転嵌合を開始することができる。これにより、添加液を流出させない状態で添加液貯留ケース２２をカバー２０に取り付けることを確保することができ、添加液を有効に利用することができる。
【００８９】
上述したように、添加液貯留ケース２２は、外側ケース２８と内側ケース３０とを備える。内側ケース３０は、貫通孔５２、５４、５６を形成するとともにカバー２０に固定される固定部分である。外側ケース２８は、内側ケース３０とともに貯留空間Ｓを構成するように内側ケース３０に回転可能に取り付けられ、貫通孔５２、５４、５６を閉じる第１の回転位置と、貫通孔５２、５４、５６を開く第２の回転位置の間で回転する回転部分である。外側ケース２８には、カバー２０の表面に設けられた開口２６ｈに向かって突出したレバー２８ｅが設けられている。このような構成によれば、貫通孔５２、５４、５６を開閉するための開閉機構をレバー２８ｅで構成することで、ユーザがレバー２８ｅをスライド回転させることで添加液の供給／貯留を容易に切り替えることが可能となる。
【００９０】
さらに、添加液貯留ケース２２がカバー２０と嵌合を開始する嵌合開始位置において、第１の回転位置におけるレバー２８ｅは、カバー２０の開口２６ｈに対向する位置に配置される（図１５Ｂ）。一方で、第２の回転位置におけるレバー２８ｅは、開口２６ｈを除くカバー２０の表面（裏面２６ｊ）に対向する位置に配置される（図１５Ｃ）。このような構成によれば、貫通孔５２、５４、５６を閉じる第１の回転位置でのみレバー２８ｅがカバー２０の開口２６ｈを通過可能に構成することで、添加液が漏れない状態を確保しながら添加液貯留ケース２２をカバー２０へ取付可能とする構成を、簡易な機構により実現することができる。これにより、添加液を有効に利用することができる。
【００９１】
ここで、本実施形態ではさらに、使用時において添加液供給装置６が意図せずに外れてしまうことを防止するためのさらなる工夫を行っている。その工夫について図１６、図１７を用いて説明する。
【００９２】
図１６は、添加液供給装置６と継手部８の斜視図である。図１７は、添加液供給装置６の背面図である。
【００９３】
図１６に示すように、継手部８に固定されたカバーホルダー３２に対して、添加液貯留ケース２２（図１７）を有した添加液供給装置６を取り付ける際には、添加液供給装置６をカバーホルダー３２に回転嵌合させることにより行う（図１１Ａ−１１Ｃ参照）。図１１Ｂに示したカバーホルダー３２における切欠き３２ｂおよびフランジ３２ｃの位置関係によって、図１６に示すように添加液供給装置６をカバーホルダー３２に取り付ける回転方向Ｄ１と、添加液供給装置６を取り外す回転方向Ｄ２は予め定められている。回転方向Ｄ１と回転方向Ｄ２は互いに逆向きである。
【００９４】
一方で、カバー２０の開口２４ｅ、２６ｈから露出したレバー２８ｅの回転方向についても予め定められている。本実施形態では、貯留状態に対応する第１の回転位置から、流出状態に対応する第２の回転位置に向かうレバー２８ｅの回転方向Ｄ３を、前述した添加液供給装置６を取り外す回転方向Ｄ２とは逆向きに設定している。
【００９５】
添加液供給装置６の使用時においては、まず、第１の回転位置（貯留状態）にある添加液供給装置６をカバーホルダー３２に装着してから、第２の回転位置（流出状態）となるようにレバー２８ｅをスライドさせる。ここで、前述したレバー２８ｅの回転方向Ｄ３を、添加液供給装置６を取り外す回転方向Ｄ２とは逆向きに設定しているため、レバー２８ｅのスライド移動は添加液供給装置６を取り外す際の回転方向Ｄ２とは逆向きの回転力として作用する。これにより、使用時における添加液供給装置６の意図しない取り外しを防止することができ、ユーザの利便性を向上させることができる。
【００９６】
本実施形態ではさらに、図１７に示すように、添加液供給装置６がカバーホルダー３２に回転嵌合する際の回転中心軸Ｃ１と、レバー２８ｅ（突起２８ｇ）がスライドする際の回転中心軸Ｃ２をずらして配置している。
【００９７】
このような配置によれば、例えば添加液貯留ケース２２の貫通孔３０ｆから露出する突起２８ｇの位置において、回転中心軸Ｃ１に対応する接線方向Ｔ１は、回転中心軸Ｃ２に対応する接線方向Ｔ２とは異なる向きとなる。レバー２８ｅ（突起２８ｇ）のスライド操作によって生じる外力Ｆは、回転中心軸Ｃ２を中心とする接線方向Ｔ２を向いている。一方で、外力Ｆが添加液供給装置６全体に対して回転力として作用する際には、回転中心軸Ｃ１を中心とする接線方向Ｔ１沿いの回転力として作用する。すなわち、外力Ｆは、接線方向Ｔ１の成分と接線方向Ｔ１に垂直な軸方向Ａ１の成分とに分散される。
【００９８】
このような構成によれば、図１６に示す回転方向Ｄ３とは逆向きの回転方向Ｄ４にレバー２８ｅを回転させる場合であっても、レバー２８ｅの回転方向Ｄ４は、添加液供給装置６をカバーホルダー３２から取り外す際の回転方向Ｄ２とは完全には一致しない。これにより、レバー２８ｅを回転方向Ｄ３に回転させる場合だけでなく回転方向Ｄ４に回転させる場合であっても、添加液供給装置６が外れにくいようにすることができる。
【００９９】
図１７に示すような回転中心軸Ｃ１、Ｃ２の位置関係は、突起２８ｇを収容する貫通孔３０ｆの形状を所定の円弧形状に定めることにより実現することができる。具体的には、貫通孔３０ｆにおける円弧の中心を回転中心軸Ｃ１からずらした回転中心軸Ｃ２に設定して開口を形成すればよい。
【０１００】
なお、本実施形態では前述したように、添加液貯留ケース２２はカバー２０に着脱自在に取り付けられ、カバー２０を介して吸込口に着脱自在に構成されている。よって、添加液供給装置６の回転中心軸Ｃ１は、カバー２０および添加液貯留ケース２２の回転中心軸Ｃ１として共通している。
【０１０１】
上述したように、本実施形態の添加液供給装置６は、吸込口４８から吐出口５０まで延びる循環流路に添加液を供給するための装置である。添加液供給装置６は、添加液貯留ケース２２を備える。添加液貯留ケース２２は、添加液を貯留するための貯留空間Ｓを形成するケースであって、貯留空間Ｓと外部を連通する貫通孔５２、５４、５６を有し、（カバー２０とともに）浴槽４の吸込口に対して回転式の嵌合により着脱自在に取り付けられる。添加液貯留ケース２２は、貫通孔５２、５４、５６をスライド式で開閉するレバー２８ｅ（開閉機構）を備える。添加液貯留ケース２２が吸込口に取り付けられた状態において、貫通孔５２、５４、５６を閉じる位置（第１の回転位置）から開く位置（第２の回転位置）へのレバー２８ｅのスライド移動は、添加液貯留ケース２２を吸込口から取り外す回転方向Ｄ２とは逆向きの回転力として作用する。
【０１０２】
このように構成することで、添加液貯留ケース２２を吸込口へ取り付けた後に添加液貯留ケース２２の貫通孔５２、５４、５６を開くようにスライド操作する際に、スライド操作によって添加液貯留ケース２２を吸込口から外れないように構成することができる。これにより、ユーザの利便性を向上させることができる。
【０１０３】
また本実施形態の添加液供給装置６では、添加液貯留ケース２２は環状に形成されており、かつ、レバー２８ｅは添加液貯留ケース２２の周方向に回転してスライドする機構である。レバー２８ｅが貫通孔５２、５４、５６を開く回転方向Ｄ３は、添加液貯留ケース２２を吸込口から取り外す回転方向Ｄ２とは逆向きである。このように、レバー２８ｅも回転式のスライド機構とすることで、レバー２８ｅのスライド操作によって添加液貯留ケース２２の取付けおよび取り外しに力が作用しやすくなる。これに対して、前述したようにレバー２８ｅの貫通孔５２、５４、５６を開くスライド操作が、吸込口から添加液貯留ケース２２を取り外す回転方向と逆向きに作用するように構成しているため、添加液貯留ケース２２が外れることを有効に防止することができる。
【０１０４】
また本実施形態の添加液供給装置６では、レバー２８ｅの回転中心軸Ｃ２は、添加液貯留ケース２２を吸込口に取り付ける際の回転中心軸Ｃ１からずれた位置に配置される。このように設定することで、添加液貯留ケース２２の貫通孔５２、５４、５６を閉じるようにスライド操作する場合でも、スライド操作によって添加液貯留ケース２２を吸込口から外れにくく構成することができる。
【０１０５】
また本実施形態の添加液供給装置６では、添加液貯留ケース２２における浴槽４内に露出する側を少なくとも部分的に覆うように、吸込口に対して回転式の嵌合により着脱自在に取り付けられるカバー２０をさらに備える。また、添加液貯留ケース２２はカバー２０に着脱自在に取り付けられ、カバー２０を介して吸込口に着脱自在に取り付けられる。さらに、カバー２０を吸込口に取り付ける際の回転中心軸は、カバー２０に取り付けられた添加液貯留ケース２２が吸込口に取り付けられる際の回転中心軸に一致する。このように、添加液貯留ケース２２を浴槽４の吸込口に直接取り付けずにカバー２０を介して吸込口に取り付けることで、カバー２０を必ず付帯した状態で添加液貯留ケース２２を吸込口に取り付けることを確保することができる。また、添加液貯留ケース２２とカバー２０を分離して構成することで、それぞれを単独で清掃することができる。このようにして、ユーザの利便性を向上させることができる。
【０１０６】
また本実施形態の添加液供給装置６では、カバー２０に取り付けられた状態の添加液貯留ケース２２におけるレバー２８ｅ（開閉機構）の回転中心軸Ｃ２を、カバー２０の回転中心軸Ｃ１からずれた位置に配置している。このような配置によって、レバー２８ｅの回転中心軸Ｃ２を、添加液貯留ケース２２を吸込口に取り付ける際の回転中心軸Ｃ１からずれた位置に配置している。このような構成によれば、添加液貯留ケース２２を吸込口から外れにくくする構成を簡易な機構で実現することができる。
【０１０７】
以上、上述の実施形態を挙げて本発明を説明したが、本発明は上述の実施形態に限定されない。例えば、実施形態では、吐出口５０の周囲に吸込口４８を一体的に形成する場合について説明したが、このような場合に限らない。吐出口５０および吸込口４８を浴槽４の任意の位置に分離して設けてもよい。
【０１０８】
また実施形態では、添加液がオイルである場合について説明したが、例えば疎水性の他の液体や親水性のアルコールなど、任意の液体であってもよい。
【０１０９】
また実施形態では、添加液貯留ケース２２内の添加液を排出するための貫通孔５２、５４、５６を３つ設ける場合について説明したが、このような場合に限らず、添加液を流入・流出させることができれば、任意の構成を採用してもよい。例えば、２つあるいは４つ以上の貫通孔を設けてもよい。
【０１１０】
また実施形態では、２つの部材を嵌合させるための機構として、突起とフランジの組合せや、突起と溝の組合せを例示したが、このような構成に限られない。２つの部材を嵌合させる構成であれば、任意の構成を採用してもよく、例えば、実施形態における突起と溝の組合せを逆の構成にしてもよい。すなわち、突起を形成する部材に突起の代わりに溝を設け、溝を形成する部材に溝の代わりに突起を設けても、２つの部材を嵌合させることが可能である。
【０１１１】
また実施形態では、添加液貯留ケース２２がカバー２０に取り付けられる場合について説明したが、このような場合に限らず例えば、添加液貯留ケース２２をカバー２０に取り付けずに吸込口側（例えばカバーホルダー３２）に直接取り付けるようにしてもよい。このような場合であっても、カバー２０および添加液貯留ケース２２をともに浴槽４の吸込口に着脱自在に設けることで、添加液供給装置６のセッティングに伴うユーザの利便性を向上させることができる。
【０１１２】
また実施形態では、添加液貯留ケース２２がカバー２０に着脱自在に取り付けられる場合について説明したが、このような場合に限らず例えば、添加液貯留ケース２２をカバー２０に一体的に形成してもよい。添加液貯留ケース２２をカバー２０に一体的に形成した場合、添加液貯留ケース２２の付け忘れを防止することができる。一方で、添加液貯留ケース２２をカバー２０に着脱自在に設けた場合、添加液貯留ケース２２とカバー２０をそれぞれ単独で清掃することが可能となる。
【０１１３】
また実施形態では、カバー２０および添加液貯留ケース２２が環状に形成される場合について説明したが、このような場合に限らない。カバー２０および添加液貯留ケース２２は環状以外の形状（例えば、中央に開口を有する角柱形状）であってもよい。なお、カバー２０は浴槽４内に露出する部分であるため、図４Ａ等で示したような滑らかな外形の環状の形状とすることで、快適性および安全性をより向上させることができる。
【０１１４】
また実施形態では、添加液貯留ケース２２はカバー２０に対して周方向の回転嵌合により取り付けられる場合について説明したが、このような場合に限らない。周方向の回転嵌合ではなく、例えば軸方向への押し込みだけで嵌合させるようにしてもよい。なお、周方向の回転嵌合の場合には、例えば周方向以外の方向の外力（軸方向や径方向の外力）が加わった場合に、添加液貯留ケース２２がカバー２０から外れにくくすることができる。
【０１１５】
また実施形態では、添加液貯留ケース２２をカバー２０に対して固定するための固定機構として爪部２６ｆを設ける場合について説明したが、このような場合に限らず、固定機構を設けない場合であってもよい。また、固定機構としてインナーカバー２６の側面２６ｂに爪部２６ｆを設け、爪部２６ｆに対応するように内側ケース３０の側面３０ａに切欠き３０ｇを設ける場合について説明したが、このような場合に限らない。添加液貯留ケース２２をカバー２０との嵌合開始位置から周方向に回転した固定位置で固定できる構成であれば、任意の構成を採用してもよい。
【０１１６】
また実施形態では、レバー２８ｅが回転式のスライド機構である場合について説明したが、このような場合に限らず、直線的に移動するスライド機構であってもよい。このような場合であっても、貯留空間Ｓと外部空間を連通する貫通孔５２、５４、５６を閉じる位置から開く位置へのレバーのスライド移動が、添加液供給装置６を吸込口（カバーホルダー３２）から取り外す回転方向Ｄ２とは逆向きの回転力として作用すれば、同様の効果が得られる。
【０１１７】
また実施形態では、レバー２８ｅの回転中心軸Ｃ２と、添加液供給装置６を吸込口に着脱する際の回転中心軸Ｃ１とがずれた位置に配置される場合について説明したが、このような場合に限らず、一致させてもよい。
【０１１８】
また実施形態では、図１５Ａ−１５Ｃで説明したような工夫と、図１６、１７で説明したような工夫を同時に備える添加液供給装置６について説明したが、このような場合に限らない。それぞれの工夫を単独で備える添加液供給装置であってもよい。また、それ以外の特徴および工夫についても同様である。
【０１１９】
なお、前記様々な実施形態のうちの任意の実施形態を適宜組み合わせることにより、それぞれの有する効果を奏するようにすることができる。
【符号の説明】
【０１２０】
２  微細気泡発生装置
４  浴槽
６  添加液供給装置
８  継手部
１０  第１のノズル
１２  空気供給パイプ
１４  循環ポンプ
１６  空気溶解タンク
１８  第２のノズル
２０  カバー
２２  添加液貯留ケース（着脱部材）
２４  アウターカバー
２４ｂ  側面
２４ｃ  突出部
２４ｄ  表面
２４ｅ  開口
２６  インナーカバー
２６ａ  開口
２６ｂ  側面
２６ｃ  突起
２６ｄ  内縁突出部
２６ｅ  溝部
２６ｆ  爪部（固定機構）
２６ｊ  裏面
２６ｈ  開口
２６ｉ  突起
２６ｇ  表面
２６ｋ  開口
２８  外側ケース
２８ａ  溝部
２８ｂ  切欠き（凹部）
２８ｃ  フランジ
２８ｄ  表面
２８ｅ  レバー
２８ｋ  開口
２８ｐ  裏面
２８ｑ  突起
２９  オイルパッキン
２９ａ  裏面
２９ｂ  第１の貫通孔
２９ｃ  第２の貫通孔
２９ｄ  第３の貫通孔
２９ｈ  窪み
３０  内側ケース
３０ａ  表面
３０ｂ  突起
３０ｃ  内縁突出部
３０ｄ  突起
３０ｅ  裏面
３０ｆ  貫通孔
３０ｇ  切欠き
３０ｈ  表面
３２  カバーホルダー
３２ａ  表面
３２ｂ  切欠き
３２ｃ  フランジ
３４  継手本体
３６ａ、３６ｂ、３６ｃ  継手
４０  吸込流路形成部材
４２  微細化ノズル
４４  パッキン
４６  壁面
４８  吸込口
５０  吐出口
５２  第１の貫通孔
５４  第２の貫通孔
５６  第３の貫通孔
Ｃ１、Ｃ２  回転中心軸
Ｄ１、Ｄ２、Ｄ３、Ｄ４  回転方向
Ｔ１、Ｔ２  接線方向
Ｆ  外力
【図１】
2018064761.tif 000003
【図２】
2018064761.tif 000004
【図３Ａ】
2018064761.tif 000005
【図３Ｂ】
2018064761.tif 000006
【図４Ａ】
2018064761.tif 000007
【図４Ｂ】
2018064761.tif 000008
【図４Ｃ】
2018064761.tif 000009
【図５Ａ】
2018064761.tif 000010
【図５Ｂ】
2018064761.tif 000011
【図５Ｃ】
2018064761.tif 000012
【図６Ａ】
2018064761.tif 000013
【図６Ｂ】
2018064761.tif 000014
【図６Ｃ】
2018064761.tif 000015
【図７Ａ】
2018064761.tif 000016
【図７Ｂ】
2018064761.tif 000017
【図７Ｃ】
2018064761.tif 000018
【図７Ｄ】
2018064761.tif 000019
【図８Ａ】
2018064761.tif 000020
【図８Ｂ】
2018064761.tif 000021
【図８Ｃ】
2018064761.tif 000022
【図９Ａ】
2018064761.tif 000023
【図９Ｂ】
2018064761.tif 000024
【図１０Ａ】
2018064761.tif 000025
【図１０Ｂ】
2018064761.tif 000026
【図１０Ｃ】
2018064761.tif 000027
【図１０Ｄ】
2018064761.tif 000028
【図１０Ｅ】
2018064761.tif 000029
【図１１Ａ】
2018064761.tif 000030
【図１１Ｂ】
2018064761.tif 000031
【図１１Ｃ】
2018064761.tif 000032
【図１２】
2018064761.tif 000033
【図１３】
2018064761.tif 000034
【図１４】
2018064761.tif 000035
【図１５Ａ】
2018064761.tif 000036
【図１５Ｂ】
2018064761.tif 000037
【図１５Ｃ】
2018064761.tif 000038
【図１６】
2018064761.tif 000039
【図１７】
2018064761.tif 000040